(57)【特許請求の範囲】
【請求項１】
絶縁基板に並んで立設されている複数の絶縁壁の間に圧接端子が接続された複数の電線の各電線が配置され、かつ隣り合う前記絶縁壁によって前記圧接端子が千鳥配置で保持される圧接端子保持部を有してなる布線板において、
前記圧接端子保持部は、
隣り合う前記絶縁壁の間に前記圧接端子の圧接刃部が嵌め込み可能に各絶縁壁が絶縁壁を直交方向に貫通されたスリット部と、
前記スリット部に嵌め込まれた前記圧接刃部の前記絶縁壁に直交する方向の両端部よりも外側に向けて、かつ前記スリット部を延在させるように前記絶縁壁の側部から突起された突起部と、
を有してなることを特徴とする布線板。
【発明の詳細な説明】
【技術分野】
【０００１】
本発明は、複数の電線が絶縁基板上の所定位置に保持された布線板に関する。
【背景技術】
【０００２】
従来、車輌には、電源を電装品に分配させる電気接続箱が搭載される。この電気接続箱は、ヒューズ、リレー等の電気部品が実装されたプリント配線板、絶縁基板に電線が配設されてなる布線板（布線シートとも称される。）等の回路基板が絶縁ケース内に内蔵される。布線板は、圧接端子の圧接刃部によって電線と圧接端子とが電気的に接続され、圧接刃部に一体的に繋がる接続端子部を介して電線が相手端子と接続されるようになっている。より具体的には、接続端子部がコネクタハウジング内に配置され、コネクタハウジングと相手コネクタハウジングとが嵌合されることによって、電線と外部電装品とが電気的に接続されるようになっている。
【０００３】
ところで、電気接続箱の小型化の要求に伴って、上述したコネクタハウジングの小型化への要求が増えている。この要求に対応するためには、圧接端子が小型化される、あるいはスペース効率良く配置される必要がある。
圧接端子がスペース効率良く配置されるためには、圧接端子が並ぶ間隔を狭くする必要がある。これには、絶縁壁の厚さを薄くすることが考えられるが、複数の圧接端子が一直線上に並べて配置されると、圧接端子の間の絶縁壁の厚みが極端に薄くなり、絶縁壁の樹脂成形加工が難しくなってしまう。そこで、複数の圧接端子が千鳥配置された布線板が提案されている（例えば、特許文献１参照）。
【先行技術文献】
【特許文献】
【０００４】
【特許文献１】特開平８−７９９４２号公報
【発明の概要】
【発明が解決しようとする課題】
【０００５】
しかしながら、特許文献１に記載の布線板についても、図４に示すように、絶縁壁２００の厚さによっては、圧接端子１２０が嵌る溝部分の絶縁壁２００の厚さＴが薄くなる恐れがあり、結果的に、絶縁壁２００の樹脂成形加工が難しくなってしまうという問題があった。
【０００６】
本発明は、上記に鑑みてなされたものであって、複数の電線に接続される圧接端子がスペース効率良く配置され、かつ容易に製造することができる布線板を提供することを目的とする。
【課題を解決するための手段】
【０００７】
上述した課題を解決し、目的を達成するために、本発明の請求項１に係る布線板は、絶縁基板に並んで立設されている複数の絶縁壁の間に圧接端子が接続された複数の電線の各電線が配置され、かつ隣り合う前記絶縁壁によって前記圧接端子が千鳥配置で保持される圧接端子保持部を有してなる布線板において、前記圧接端子保持部は、隣り合う前記絶縁壁の間に前記圧接端子の圧接刃部が嵌め込み可能に各絶縁壁が絶縁壁を直交方向に貫通されたスリット部と、該スリット部に嵌め込まれた前記圧接刃部の前記絶縁壁に直交する方向の両端部よりも外側に向けて、かつ該スリット部を延在させるように前記絶縁壁の側部から突起された突起部と、を有してなることを特徴とする。
【発明の効果】
【０００８】
本発明の請求項１に係る布線板は、前記圧接端子が前記絶縁基板に千鳥配置され、かつ前記圧接端子が嵌め込まれる部分が、前記絶縁壁が絶縁壁を直交方向に貫通されたスリット部であり、しかも前記突起部によって各圧接端子と隣りの電線とがショート不良を防止するように間隔を空けて保持されるようになっているので、前記絶縁壁に直交する方向の前記圧接刃部の端部外側を覆う前記絶縁壁を無くすことが可能となり、複数の電線に接続される圧接端子がスペース効率良く配置され、かつ容易に製造することができる。
【図面の簡単な説明】
【０００９】
【図１】図１は、本発明の実施例に係る布線板の圧接端子保持部周辺を示した上面図である。
【図２】図２は、図１に示した圧接端子保持部を拡大した図である。
【図３】図３は、図１に示した圧接端子の斜視図である。
【図４】図４は、従来技術を説明するための図である。
【発明を実施するための形態】
【００１０】
以下、図面を参照して、この発明に係る布線板の好適な実施の形態を詳細に説明する。
【実施例】
【００１１】
図１は、本発明の実施例に係る布線板１の圧接端子保持部２０周辺を示した上面図である。図２は、図１に示した圧接端子保持部２０を拡大した図である。図３は、図１に示した圧接端子１２０の斜視図である。
本発明の実施例に係る布線板１は、圧接端子１２０が接続されてなる複数の電線１１０の各電線１１０が圧接端子保持部２０によって絶縁基板１０上の所定位置に保持され、図１に示すように、例えば、電気接続箱の絶縁ケース１００内に収容されている。
【００１２】
まず、公知の圧接端子１２０について説明する。
圧接端子１２０は、図３に示すように、電線１１０が圧接される圧接刃部１２１と、圧接刃部１２１に一体的に繋がり、不図示の相手端子に接続される接続端子部１２２とを有してなる。
複数の圧接端子１２０は、図１に示すように、絶縁基板１０上に千鳥配置されることによってスペース効率良く絶縁基板１０に配置されている。このため、各接続端子部１２２がコネクタハウジング３００内にスペース効率良く配置され、コネクタハウジング３００の小型化に適応することができ、結果的に不図示の電気接続箱の小型化に適応することができるようになっている。
【００１３】
次に、圧接端子保持部２０について説明する。
圧接端子保持部２０は、絶縁基板１０に並んで立設されている複数の絶縁壁３０の間に圧接端子１２０が接続された複数の電線１１０の各電線１１０が配置され、かつ隣り合う絶縁壁３０によって圧接端子１２０が千鳥配置で保持される部分である。
この圧接端子保持部２０は、図２に示すように、スリット部４０と、突起部５０と、電線保持部６０とを有してなる。
【００１４】
スリット部４０は、隣り合う絶縁壁３０の間に圧接端子１２０の圧接刃部１２０ａが嵌め込み可能に各絶縁壁３０が絶縁壁３０を直交方向に貫通された部分である。
このような、スリット部４０によって、絶縁壁３０に直交する方向の圧接刃部１２１の端部１２１ａ外側を覆うように絶縁壁３０が形成されないようになっている。すなわち、絶縁壁３０は、絶縁壁３０の厚さが薄くなる部分を無くすように形成されている。
【００１５】
突起部５０は、スリット部４０に嵌め込まれた圧接刃部１２１の絶縁壁３０に直交する方向の両端部１２１ａよりも外側に向けて、かつスリット部４０を延在させるように絶縁壁３０の側部３０ａから突起された部分である。
この突起部５０によって、各圧接端子１２０と隣りの電線１１０とが接触されることによるショート不良を防止するように間隔を空けて保持されるようになっている。
すなわち、突起部５０が、各圧接端子１２０と隣りの電線１１０とが接触されない程度の突出量に設定される。
また、スリット部４０を間にして向かいあう一対の突起部５０の間隔が、この一対の突起部５０の間に電線１１０の一部が入り込まない程度の間隔に設定されることが好ましい。
【００１６】
電線保持部６０は、各電線１１０を布線板１内の所定位置に保持するものであり、隣り合う絶縁壁３０の各絶縁壁３０から、これら隣り合う絶縁壁３０の間に配置される電線１０に向けて突起された一対の突起部からなる。この電線保持部６０が各電線１１０の両側部に接触されることによって各電線１１０が保持されるようになっている。
【００１７】
本発明の実施例に係る布線板１は、圧接端子１２０が絶縁基板１０に千鳥配置され、かつ圧接端子１２０が嵌め込まれる部分が、絶縁壁３０が絶縁壁３０を直交方向に貫通されたスリット部４０であり、しかも突起部５０によって各圧接端子１２０と隣りの電線１１０とがショート不良を防止するように間隔を空けて保持されるようになっているので、絶縁壁３０に直交する方向の圧接刃部１２１の端部１２１ａ外側を覆う絶縁壁３０を無くすことが可能となり、複数の電線１１０に接続される圧接端子１２０がスペース効率良く配置され、かつ容易に製造することができる。
【００１８】
なお、この発明の実施例に係る布線板１は、不図示の電気接続箱に内蔵されるものを例示したが、これに限らず、その他のものに内蔵されるものであっても構わない。
【００１９】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００２０】
１          布線板
１０        絶縁基板
２０        圧接端子保持部
３０        絶縁壁
３０ａ      側部
４０        スリット部
５０        突起部
６０        電線保持部
１００      絶縁ケース
１１０      電線
１２０      圧接端子
１２１      圧接刃部
１２１ａ    端部
１２２      接続端子部
２００      絶縁壁
３００      コネクタハウジング
【図１】
0005829543.tif 000002
【図２】
0005829543.tif 000003
【図３】
0005829543.tif 000004
【図４】
0005829543.tif 000005